(57)【要約】【課題】  ケース内に挿着されたカードの端子とコンタクトとの接触圧を常に一定に保つことができ、安定した信号伝送性が得られる構成のカードコネクタを提供する。【解決手段】  カード挿入口ＣＩより挿入されたカード９０を内部に形成されたカード受容空間ＣＳにおいて受容保持する電気絶縁性材料からなるケース１０と、ケース１０に取り付けられ、カード受容空間ＣＳ内の所定位置まで挿入されたカード９０の端子９２と接触する導電性材料からなるコンタクト（第１コンタクト３０及び第２コンタクト４０）とを有し、ケース１０は、コンタクトを保持するベース部１１と、ベース部１１とほぼ平行に延びて設けられてベース部１１との間にカード受容空間ＣＳを形成するカバー部１３とが一体に形成された構成を有する。【選択図】        図１
2005209358.tif 000002
【特許請求の範囲】
【請求項１】
カード挿入口より挿入されたカードを内部に形成されたカード受容空間において受容保持する電気絶縁性材料からなるケースと、前記ケースに取り付けられ、前記カード受容空間内の所定位置まで挿入された前記カードの端子と接触する導電性材料からなるコンタクトとを有し、
前記ケースは、前記コンタクトを保持するベース部と、前記ベース部とほぼ平行に延びて設けられて前記ベース部との間に前記カード受容空間を形成するカバー部とが一体に形成された構成を有していることを特徴とするカードコネクタ。
【請求項２】
前記ケースに設けられ、前記カードが前記所定位置まで挿入されたときに前記カードにより押圧されて弾性変形する第１スイッチ部材と、前記第１スイッチ部材の近傍位置に設けられ、前記第１スイッチ部材の弾性変形により前記前記第１スイッチ部材と接触し或いは離間する第２スイッチ部材と、前記前記第１スイッチ部材と前記第２スイッチ部材との接触・離間状態の変化に基づいて前記カードが前記所定位置まで挿入されたことの検出を行うカード挿着検出回路とを備えたことを特徴とする請求項１記載のカードコネクタ。
【発明の詳細な説明】
【技術分野】
【０００１】
本発明は、ケース内に挿着されたメモリーカードを電子機器等に接続して情報の伝送を行うカードコネクタに関する。
【背景技術】
【０００２】
カードコネクタは、小型の記憶装置（ＩＣチップ）を内蔵したメモリーカードを受容保持してこれを電子機器等に接続するコネクタであり、従来種々の形態のものが実用に供されている。このようなカードコネクタはカードを保持するケースと、このケースに保持されたカードの端子と接触させるコンタクトとを有して構成されるが、ケースの形態には、ベース部材とこれに対して移動自在に設けられたカード保持具（ホルダ）とからなるホルダタイプのものや、挿入されたカードを受容するブロックタイプのもの等が知られている。前者のタイプでは一般に、電気絶縁性材料からなる平板状のハウジングに複数のコンタクトが保持され、カード保持具がハウジングに対して揺動或いは平行移動自在に取り付けられた構成を有する。カードを装着するときには最初にカードをカード保持具に取り付け、その後カード保持具をハウジングに対して移動させてカードをハウジング上の所定位置に固定することにより、カードの端子とコンタクトとを接触させる構成となっている。
【０００３】
一方、後者のタイプでは、電気絶縁性材料からなる平板状のハウジングにコンタクトが保持され、ハウジングには薄厚板金製のカバー部材が取り付けられた構成を有する。このようなタイプのカードコネクタにカードを装着するには、ハウジングとカバー部材との間に形成されたカード受容空間内にカードを挿入（挿着）するが、このときコンタクトはカードにより押圧されて弾性変形し、その弾性力をもってコンタクトはカードの端子に接触する。また、このようなコンタクトの弾性力により、カードはケース内に保持される。
【特許文献１】特許第３４０３０９８号公報
【特許文献２】特開２００３−１０９７０９号公報
【発明の開示】
【発明が解決しようとする課題】
【０００４】
しかしながら、上記後者のタイプのカードコネクタにおいては、カードを受容保持するケースが、ハウジングと、これに別部材として取り付けられるカバー部材とからなっていたため、ハウジングとカバー部材との間に形成されるカード受容空間の寸法（挿着されるカードの厚さ方向の寸法）は、ハウジングとカバー部材それぞれの製造時における部品公差のみならず、これら両部材の取り付け誤差によって変わってしまっていた。このため、ケース内に挿着されたカードの端子とコンタクトとの接触圧が、製造された（組み立てられた）カードコネクタごとに異なってしまい、安定した信号伝送性が得られない場合があった。
【０００５】
本発明はこのような問題に鑑みてなされたものであり、ケース内に挿着されたカードの端子とコンタクトとの接触圧を常に一定に保つことができ、安定した信号伝送性が得られる構成のカードコネクタを提供することを目的としている。
【課題を解決するための手段】
【０００６】
本発明に係るカードコネクタは、カード挿入口より挿入されたカード（例えば、実施形態におけるメモリーカード９０）を内部に形成されたカード受容空間において受容保持する電気絶縁性材料からなるケースと、ケースに取り付けられ、カード受容空間内の所定位置まで挿入されたカードの端子と接触する導電性材料からなるコンタクト（例えば、実施形態における第１コンタクト３０，３０，・・・及び第２コンタクト４０，４０，・・・）とを有し、ケースは、コンタクトを保持するベース部と、ベース部とほぼ平行に延びて設けられてベース部との間にカード受容空間を形成するカバー部とが一体に形成された構成を有している。
【０００７】
また、上記カードコネクタにおいては、ケースに設けられ、カードが上記所定位置まで挿入されたときにカードにより押圧されて弾性変形する第１スイッチ部材と、第１スイッチ部材の近傍位置に設けられ、第１スイッチ部材の弾性変形により第１スイッチ部材と接触し或いは離間する第２スイッチ部材と、第１スイッチ部材と第２スイッチ部材との接触・離間状態の変化に基づいてカードが上記所定位置まで挿入されたことの検出を行うカード挿着検出回路とを備えていることが好ましい。
【発明の効果】
【０００８】
本発明に係るカードコネクタでは、カードをカード受容空間において受容保持するケースが、コンタクトを保持するベース部と、ベース部とほぼ平行に延びて設けられてベース部との間に上記カード受容空間を形成するカバー部とが一体に形成された構成を有しているため、ケース内に形成されるカード受容空間の寸法誤差（挿着されるカードの厚さ方向の寸法誤差）はそのケースの製造時における寸法公差のみとなる。このため、コンタクトを保持するハウジングとカバー部材とが別部材となっていた従来の場合のように、ケース内に挿着されたカードの端子とコンタクトとの接触圧がカードコネクタごとに異なるようなことがなく、常に安定した信号伝送性が得られる。
【０００９】
また、本発明に係るカードコネクタにおいて、ケースに設けられ、カードが上記所定位置まで挿入されたときにカードにより押圧されて弾性変形する第１スイッチ部材と、第１スイッチ部材の近傍位置に設けられ、第１スイッチ部材の弾性変形により第１スイッチ部材と接触し或いは離間する第２スイッチ部材と、第１スイッチ部材と第２スイッチ部材との接触・離間状態の変化に基づいてカードが上記所定位置まで挿入されたことの検出を行うカード挿着検出回路とを備えているのであれば、カードがケース内に正常に挿着された状態を的確に検出することが可能である。
【発明を実施するための最良の形態】
【００１０】
以下、図面を参照して本発明の好ましい実施形態について説明する。図１〜図１１は本発明に係るカードコネクタ１を示している。本実施形態では説明の便宜上、各図中に示すように前後、左右、上下方向を定義する。これらの図に示すように、カードコネクタ１は、樹脂等の電気絶縁性材料からなる矩形平板状のケース１０と、このケース１０に取り付けられた複数のコンタクト（後述するように複数の第１コンタクト３０，３０，・・・及び複数の第２コンタクト４０，４０，・・・とからなる）及びカード挿着検出スイッチ５０（後述するように第１スイッチ部材６０及び第２スイッチ部材７０からなる）とを有する。
【００１１】
ケース１０は平板状のベース部１１と、このベース部１１の後部からベース部１１の上方に延びて設けられた左右の後壁部１２，１２と、これら後壁部１２，１２からベース部１１の直上を前方に延びて設けられてベース部１１とほぼ平行に位置したカバー部１３とが一体に形成された構成を有している。ベース部１１の中央部には周辺部１１ａよりも高さの高いコンタクト・スイッチ取り付け部１１ｂが設けられており、このコンタクト・スイッチ取り付け部１１ｂの上面１１ｃとカバー部１３の下面１３ａとの間にはカード受容空間ＣＳが形成される（図２及び図４〜図７参照）。このカードコネクタ１に挿着される後述のメモリーカード（以下、単にカードと称する）９０は、ケース１０の前方に形成されたカード挿入口ＣＩよりこのカード受容空間ＣＳ内に挿入される。カード受容空間ＣＳ内に挿入された状態のカード９０を図１（Ｂ）中に二点鎖線で示す。
【００１２】
ベース部１１中央のコンタクト・スイッチ取り付け部１１ｂには、第１コンタクト３０の基部３１（後述）を収容するための４つの第１コンタクト基部収容溝１４（図３、図４及び図６参照）と、第１コンタクト３０のＶ字腕部３４（後述）を収容するための４つの第１コンタクト腕部収容溝１５（図３、図４及び図６参照）と、第２コンタクト４０の基部４１（後述）を収容するための４つの第２コンタクト基部収容溝１６（図３及び図４参照）と、第２コンタクト４０のＶ字腕部４４（後述）を収容するための４つの第２コンタクト腕部収容溝１７（図３、図５及び図６参照）とがそれぞれ前後方向に延びて設けられている。
【００１３】
４つの第１コンタクト腕部収容溝１５は、コンタクト・スイッチ取り付け部１１ｂの後部領域に左右方向に平行に並んで設けられており、４つの第１コンタクト基部収容溝１４はこれら第１コンタクト腕部収容溝１５それぞれの直下に設けられている（図４及び図６参照）。第２コンタクト腕部収容溝１７は各第１コンタクト腕部収容溝１５の右隣に１つずつ、前記第１コンタクト腕部収容溝１５と平行に並んで設けられており、第２コンタクト基部収容溝１６は各第１コンタクト基部収容溝１４の前方にこれと同軸状に設けられている。ここで、第１コンタクト腕部収容溝１５は第１コンタクト基部収容溝１４よりも大きい幅を有しており（図６参照）、第２コンタクト腕部収容溝１７は第２コンタクト基部収容溝１６よりも大きい幅を有している。
【００１４】
第１コンタクト３０は図４に示すように、第１コンタクト基部収容溝１４に形成された溝状の第１コンタクト保持部１４ａに圧入保持された基部３１と、この基部３１の後端部からベース部１１の後下方に屈曲して延びたリード部３２と、基部３１の前端部から前上方に斜めに延びた連結部３３と、この連結部３３の上端部から後方にＶ字状に延びて形成されたＶ字腕部３４とを有して構成される。Ｖ字腕部３４は連結部３３の上端部から後下方へ斜めに延びた第１腕部３４ａとこの第１腕部３４ａの下端部から後ろ上方へ斜めに延びた第２腕部３４ｂとから構成されている。このＶ字腕部３４は連結部３３よりも幅広に形成されており、第１腕部３４ａと第２腕部３４ｂとの境であるＶ字の下端部（屈曲部）３４ｃを第１コンタクト腕部収容溝１５の底面１５ａに当接させているため（図４及び図６参照）、Ｖ字の下端部３４ｃを支点にして上下面内での揺動が可能である。第１腕部３４ａの前端部はケース１０に挿着されたカード９０の端子９２（後述）と接触する接触部３５となっており、第２腕部３４ｂの後端部にはカード９０が本カードコネクタ１に挿着された際にカード９０の先端部（挿入方向先方側端部）により下方に押圧される押圧部３６が形成されている。
【００１５】
第２コンタクト４０は図４及び図５に示すように、第２コンタクト基部収容溝１６に形成された溝状の第２コンタクト保持部１６ａに圧入保持された基部４１と、この基部４１の前端部からベース部１１の前下方に屈曲して延びたリード部４２と、基部４１の後端部から後方に延びて上方に折り返して延びた連結部４３と、この連結部４３の上端部から後方にＶ字状に延びて形成されたＶ字腕部４４とを有して構成される。Ｖ字腕部４４は連結部４３の上端部から後下方へ斜めに延びた第１腕部４４ａとこの第１腕部４４ａの下端部から後ろ上方へ斜めに延びた第２腕部４４ｂとから構成されている。このＶ字腕部４４は連結部４３よりも幅広に形成されており、第１腕部４４ａと第２腕部４４ｂとの境であるＶ字の下端部（屈曲部）４４ｃを第２コンタクト腕部収容溝１７の底面１７ａに当接させているため（図５及び図６参照）、Ｖ字の下端部４４ｃを支点にして上下面内で揺動が可能である。第１腕部４４ａの前端部はケース１０に挿着されたカード９０の端子９２と接触する接触部４５となっており、第２腕部４４ｂの後端部にはカード９０が本カードコネクタ１に挿着された際にカード９０の先端部により下方に押圧される押圧部４６が形成されている。
【００１６】
このカードコネクタ１では、図３に示すように、各第２コンタクト４０における第１腕部４４ａの中間部がケース１０の右方に屈曲した形状を有しているため、第１コンタクト３０の接触部３５と第２コンタクト４０の接触部４５とはケース１０の前後方向に並んで位置し、第１コンタクト３０の押圧部３６と第２コンタクト４０の押圧部４６とはケース１０の左右方向に交互に並んで位置した構成となっている。なお、図４及び図５から分かるように、本カードコネクタ１にカード９０が挿着されていないときには、第１コンタクト３０の接触部３５と第２コンタクト４０の接触部４５とはともにベース部１１のコンタクト・スイッチ取り付け部１１ｂの上面１１ｃよりも下方に位置し、第１コンタクト３０の押圧部３６と第２コンタクト４０の押圧部４６とはともにコンタクト・スイッチ取り付け部１１ｂの上面１１ｃよりも上方に（カード受容空間ＣＳ内に）位置した状態となっている。
【００１７】
カード挿着検出スイッチ５０は図３及び図８に示すように、第１スイッチ部材６０と第２スイッチ部材７０とから構成されており、コンタクト・スイッチ取り付け部１１ｂにおける左方領域には、第１スイッチ部材６０を取り付けるための第１スイッチ部材収容穴２１と第２スイッチ部材７０を取り付けるための第２スイッチ部材収容穴２２とがそれぞれ前後方向に延びて設けられている（図３参照）。
【００１８】
第１スイッチ部材６０は、第１スイッチ部材収容穴２１内に圧入保持された基部６１と、この基部６１からベース部１１の後下方に屈曲して延びたリード部６２と、基部６１から水平前方に延びた後、上方に折り返されて水平後方に延びた第１腕部６３と、第１腕部６３の後端部から後上方に斜めに延びて形成された第２腕部６４と、第２腕部６４の上端部から後方に折り返されて下方側に延びるとともに左方（第２スイッチ部材７０側）に延びて形成された第３腕部６５と、第３腕部６５の左下端部から水平前方に延びて形成された接触部６６とを有している。ここで、基部６１、第１腕部６３及び第２腕部６４は第１スイッチ部材収容穴２１内に位置しているが、第３腕部６５は第１スイッチ部材収容穴２１と第２スイッチ部材収容穴２２との双方に跨るように設けられている。また、第１スイッチ部材６０の第２腕部６４は、第１スイッチ部材収容穴２１の後部に上方に開口して設けられた切り欠き２３（図３参照）から上方に突出してコンタクト・スイッチ取り付け部１１ｂの上面１１ｃよりも上方に（カード受容空間ＣＳ内に）位置しており、第１スイッチ部材６０の接触部６６は第コンタクト・スイッチ取り付け部１１ｂの上面１１ｃよりも下方に（第２スイッチ部材収容穴２２内に）位置している（図７参照）。
【００１９】
第２スイッチ部材７０は、第２スイッチ部材収容穴２２内に圧入保持された基部７１と、この基部７１からベース部１１の後下方に屈曲して延びたリード部７２と、基部７１から水平前方に延びた後、上方に折り返されて水平後方に延びた腕部７３と、この腕部７３の上面に上方に突出して設けられた接触部７４とを有している。ここで、基部７１、腕部７３及び接触部７４は第２スイッチ部材収容穴２２内に位置しており、接触部７４は第１スイッチ部材６０の接触部６６の直下に位置している。
【００２０】
本カードコネクタ１を構成する上記ケース１０は、上記コンタクト（第１コンタクト３０，３０，・・・と第２コンタクト４０，４０，・・・）及びカード挿着検出スイッチ５０（第１スイッチ部材６０と第２スイッチ部材７０）とともに一体に（例えばインサートモールドにより）成形される。また、このように構成されたカードコネクタ１の基板８０（図１（Ｂ）参照）への取り付けは、ベース部１１の下面から下方に突出して設けられた位置決め突起２４，２５を基板８０に設けられた位置決め穴８１，８２（図１（Ｂ）参照）に挿入してケース１０の基板８０上での位置決めをしたうえで、第１コンタクト３０のリード部３２、第２コンタクト４０のリード部４２、第１スイッチ部材６０のリード部６２及び第２スイッチ部材７０のリード部７２をそれぞれ基板８０上の配線パターン（図示せず）の端子に半田付け等により接続して行われる。
【００２１】
このカードコネクタ１に挿着されるカード９０は、樹脂等の絶縁性材料からなる長方形平板状のカード基部９１と、このカード基部９１の表面（下面）に設けられた平板状の複数の（ここでは第１コンタクト３０及び第２コンタクト４０の数の総数対応して８つの）端子９２，９２，・・・とを有してなり（図９及び図１０参照）、カード基部９１の内部には各端子９２，９２，・・・と図示しない配線を介して繋がったＩＣチップ（図示せず）が設けられている。ここで、上記８つの端子９２，９２，・・・はカード基部９１の幅方向に４つずつ、カード９０の挿入方向（このカード９０の挿入方向はカードコネクタ１の前後方向に対応する）に２列に並んで設けられており、カード９０の挿入方向先方側の列に位置する４つの端子９２，９２，・・・が第１コンタクト３０の接触部３５と接触し、カード９０の挿入方向後方側の列に位置する４つの端子９２，９２，・・・が第２コンタクト４０の接触部４５と接触するようになっている。
【００２２】
このような構成のカード９０をケース１０前方のカード挿入口ＣＩよりカード受容空間ＣＳ内に挿入して押し込むと、カード９０の先端部９０ａはケース１０の後壁部１２，１２に前方より当接し、それ以上カード９０を押し込むことができなくなる（図９（Ｂ）及び図１０（Ｂ）参照。また、このようなカード９０の位置を、以下、「信号伝送可能位置」と称する）。このようにカード９０の先端部が後壁部１２，１２に当接してカード９０が信号伝送可能位置に位置する直前においては、カード９０の先端部９０ａは第１コンタクト３０の押圧部３６及び第２コンタクト４０の押圧部４６に当接した後（図９（Ａ）及び図１０（Ａ）参照）、これらを下方に押し下げる（押圧する）。これにより第１コンタクト３０のＶ字腕部３４及び第２コンタクト４０のＶ字腕部４４はそれぞれのＶ字の下端部（屈曲部）３４ｃ，４４ｃを支点として上下面内で揺動し、第１コンタクト３０の接触部３５及び第２コンタクト４０の接触部４５はそれぞれ上方へ押し上げられる。そして、各第１コンタクト３０の接触部３５はカード９０の挿入方向先方側の列に位置する端子９２に下方から接触し（図９（Ｂ）参照）、各第２コンタクト４０の接触部４５はカード９０の挿入方向後方側の列に位置する端子９２に下方から接触する（図１０（Ｂ）参照）。なお、カード９０の各端子９２，９２，…は接触部３５，４５と当接した後もカード９０の押し込みに伴って若干後方に移動することになるので、第１及び第２両コンタクト３０，４０それぞれの接触部３５，４５と端子９２，９２，…との間にはワイピング効果がはたらき、接触不良が防止される。
【００２３】
また、カード９０の先端部９０ａにより押し下げられた第１コンタクト３０の押圧部３６と第２コンタクト４０の押圧部４６はその反作用としてカード９０の先端部９０ａを上方に押し上げる。これによりカード９０の先端部９０ａはカバー部１３の下面１３ａに下方から押し付けられた状態となるので（図９（Ｂ）及び図１０（Ｂ）参照）、カード９０はカード受容空間ＣＳ内に適当な保持力をもって保持される。この状態では、カード９０は容易にカードコネクタ１より抜け落ちることはない。
【００２４】
また、カード９０の先端部９０ａがケース１０の後壁部１２，１２に前方より当接する直前においては、カード９０の先端部９０ａは第１スイッチ部材６０の第２腕部６４に前方より当接した後（図１１（Ａ）参照）、これを下方に押し下げる。これにより第１スイッチ部材６０の接触部６６は下方へ移動し、カード９０の先端部９０ａが後壁部１２，１２に当接したところで第２スイッチ部材７０の接触部７４に上方から接触する（図１１（Ｂ）参照）。このような第１スイッチ部材６０と第２スイッチ部材７０との接触・離間（非接触）状態はこれら両スイッチ部材６０，７０と繋がるカード挿着検出回路ＣＣ（図８参照）において検知されるようになっており、カード挿着検出回路ＣＣは、第１スイッチ部材６０と第２スイッチ部材７０とが離間状態から接触状態になったことからカード９０がケース１０内の信号伝送可能位置に位置した状態を検出してカードコネクタ１の電源をオンにする。これによりカード９０とカードコネクタ１とは端子９２，９２，…及び第１及び第２両コンタクト３０，４０を介して電気的に接続された状態となり、カード９０と電子機器等との間の信号伝送が可能となる。
【００２５】
カード９０と電子機器等との間における情報のやり取りが終了した後は、カード９０をカードコネクタ１より引き抜く。カード９０がカードコネクタ１から引き抜かれると、第１コンタクト３０、第２両コンタクト４０、第１スイッチ部材６０及び第２スイッチ部材７０はそれぞれカード９０により強制的に弾性変形させられた状態から解放されるので、カード９０の挿入前の状態に復帰する。これにより、第１コンタクト３０の接触部３５と第２コンタクト４０の接触部４５はともにベース部１１のコンタクト・スイッチ取り付け部１１ｂの上面１１ｃよりも下方に位置し、第１コンタクト３０の押圧部３６と第２コンタクト４０の押圧部４６とはともにコンタクト・スイッチ取り付け部１１ｂの上面１１ｃよりも上方に（カード受容空間ＣＳ内に）位置する。また、第１スイッチ部材６０の接触部６６と第２スイッチ部材７０の接触部７４は離間するが、カード挿着検出回路ＣＣはこのような第１スイッチ部材６０と第２スイッチ部材７０とが接触状態から離間状態になったことからカード９０のケース１０からの引き抜き完了を検知し、カードコネクタ１の電源をオフにする。なお、これにより第１スイッチ部材６０の第２腕部６４はカード９０により強制的に弾性変形させられた状態から解放されて、元の状態に復帰する（カード受容空間ＣＳ内に位置する）。
【００２６】
カードコネクタ１の構成の説明は以上であるが、本カードコネクタでは、カード９０をカード受容空間ＣＳにおいて受容保持するケース１０が、コンタクト（第１コンタクト３０及び第２コンタクト４０）を保持するベース部１１と、ベース部１１とほぼ平行に延びて設けられてベース部１１との間にカード受容空間ＣＳを形成するカバー部１３とが一体に形成された構成を有しているため、ケース１０内に形成されるカード受容空間ＣＳの寸法誤差（挿着されるカード９０の厚さ方向の寸法）はそのケース１０の製造時における寸法公差のみとなる。このため、コンタクトを保持するハウジングとカバー部材とが別部材となっていた従来の場合のように、ケース１０内に挿着されたカード９０の端子９２とコンタクト（第１コンタクト３０及び第２コンタクト４０）との接触圧がカードコネクタ１ごとに異なるようなことがなく、常に安定した信号伝送性が得られる。
【００２７】
また、上記カードコネクタ１においては、ケース１０に設けられ、カード９０が上記信号伝送可能位置まで挿入されたときにカード９０により押圧されて弾性変形する第１スイッチ部材６０と、第１スイッチ部材６０の近傍位置に設けられ、第１スイッチ部材６０の弾性変形により第１スイッチ部材６０と接触する第２スイッチ部材７０と、第１スイッチ部材６０と第２スイッチ部材７０との接触・離間状態の変化に基づいてカード９０が上記信号伝送可能位置まで挿入されたことの検出を行うカード挿着検出回路ＣＣとを備えているので、カード９０がケース１０内に正常に挿着された状態を的確に検出することが可能になっている。
【００２８】
これまで本発明の好ましい実施形態について説明してきたが、本発明の範囲は上述のものに限定されない。例えば、上述の実施形態では、第１スイッチ部材６０はカード９０がケース１０内に挿着される前は第２スイッチ部材７０と接触しておらず、ケース１０に挿着されたときにカード９０により押圧されて弾性変形し、これにより第２スイッチ部材７０と接触する構成であったが、これを逆にし、第１スイッチ部材６０はカード９０がケース１０内に挿着される前は第２スイッチ部材７０と接触しており、ケース１０に挿着されたときにカード９０により押圧されて弾性変形し、これにより第２スイッチ部材７０と離間する構成としてもよい。
【００２９】
また、上述の実施形態では、コンタクト（第１コンタクト３０及び第２コンタクト４０）の総数は挿着されるカード９０の端子９２の数に合わせて８つであったが、これは一例に過ぎず、カードの端子の数に合わせて幾つにすることも可能である。また、コンタクトの形状や配置等は一例であり、必ずしも上述の実施形態に示したものに限定されない。
【図面の簡単な説明】
【００３０】
【図１】本発明の一実施形態に係るカードコネクタを示しており、（Ａ）は平面図、（Ｂ）は側面図である。
【図２】上記カードコネクタの正面図である。
【図３】上記カードコネクタのケースからカバー部を除いて示すカードコネクタの平面図である。
【図４】図３における矢視IV−IVから見た断面図である。
【図５】図３における矢視V−Vから見た断面図である。
【図６】図４における矢視VI−VIから見た断面図である。
【図７】図３における矢視VII−VIIから見た断面図である。
【図８】カード挿着検出スイッチ（第１スイッチ部材及び第２スイッチ部材）を示す斜視図である。
【図９】カードの挿入に伴う第１コンタクトの弾性変形の様子を示す図であり、（Ａ）はカードの先端部が第１コンタクトの押圧部に当接した状態を示し、（Ｂ）は第１コンタクトが弾性変形して接触部がカードの端子に接触した状態を示す。
【図１０】カードの挿入に伴う第２コンタクトの弾性変形の様子を示す図であり、（Ａ）はカードの先端部が第２コンタクトの押圧部に当接した状態を示し、（Ｂ）は第２コンタクトが弾性変形して接触部がカードの端子に接触した状態を示す。
【図１１】カードの挿入に伴う第１スイッチ部材及び第２スイッチ部材の弾性変形の様子を示す図であり、（Ａ）はカードの先端部が第１スイッチ部材に当接した状態を示し、（Ｂ）は第１スイッチ部材が弾性変形して第１スイッチ部材の接触部と第２スイッチ部材の接触部とが接触した状態を示す。
【符号の説明】
【００３１】
１      カードコネクタ
１０    ケース
１１    ベース部
１３    カバー部
３０    第１コンタクト（コンタクト）
４０    第２コンタクト（コンタクト）
６０    第１スイッチ部材
７０    第２スイッチ部材
８０    基板
９０    メモリーカード（カード）
９２    端子
ＣＩ    カード挿入口
ＣＳ    カード受容空間
ＣＣ    カード挿着検出回路
【図１】
2005209358.tif 000003
【図２】
2005209358.tif 000004
【図３】
2005209358.tif 000005
【図４】
2005209358.tif 000006
【図５】
2005209358.tif 000007
【図６】
2005209358.tif 000008
【図７】
2005209358.tif 000009
【図８】
2005209358.tif 000010
【図９】
2005209358.tif 000011
【図１０】
2005209358.tif 000012
【図１１】
2005209358.tif 000013